(57)【要約】  敷き込み式体重計は、計測面を有する右側センサ部と、計測面を有する左側センサ部と、前記右側センサ部の計測面にかかる荷重と、前記左側センサ部の計測面にかかる荷重とを合計し、被測定者の体重として算出する算出部とを備え、前記右側センサ部と、前記左側センサ部とは、互いに分割されている。
2019026750.tif 000002
【特許請求の範囲】
【請求項１】
計測面を有する右側センサ部と、
計測面を有する左側センサ部と、
前記右側センサ部の計測面にかかる荷重と、前記左側センサ部の計測面にかかる荷重とを合計し、被測定者の体重として算出する算出部とを備え、
前記右側センサ部と、前記左側センサ部とは、互いに分割されている、
敷き込み式体重計。
【請求項２】
前記右側センサ部および前記左側センサ部は、被測定者の身長方向の寸法が小さくなるように、折り畳み可能に構成されている、
請求項１に記載の敷き込み式体重計。
【請求項３】
前記右側センサ部および前記左側センサ部のそれぞれは、被測定者の身長方向の寸法が小さくなるように、複数に分割可能に構成されている、
請求項１に記載の敷き込み式体重計。
【請求項４】
前記右側センサ部および前記左側センサ部は、耐座屈性を有する材料によって形成されている、
請求項１に記載の敷き込み式体重計。
【請求項５】
前記右側センサ部および前記左側センサ部の表面は、耐アルコール性を有する、
請求項１に記載の敷き込み式体重計。
【請求項６】
被測定者の姿勢を仰向け状態から左向き状態に変更し、仰向け状態の被測定者の右半身が位置していた箇所に前記右側センサ部を設置する工程と、
被測定者の姿勢を左向き状態から右向き状態に変更し、仰向け状態の被測定者の左半身が位置していた箇所に前記左側センサ部を設置する工程と、
被測定者の姿勢を右向き状態から仰向け状態に変更し、前記右側センサ部の計測面および前記左側センサ部の計測面によって被測定者の体重を測定する工程とを含む、
請求項１に記載の敷き込み式体重計の使用方法。
【請求項７】
被測定者の姿勢を仰向け状態から右向き状態に変更し、仰向け状態の被測定者の左半身が位置していた箇所に前記左側センサ部を設置する工程と、
被測定者の姿勢を右向き状態から左向き状態に変更し、仰向け状態の被測定者の右半身が位置していた箇所に前記右側センサ部を設置する工程と、
被測定者の姿勢を左向き状態から仰向け状態に変更し、前記右側センサ部の計測面および前記左側センサ部の計測面によって被測定者の体重を測定する工程とを含む、
請求項１に記載の敷き込み式体重計の使用方法。
【請求項８】
前記右側センサ部を設置する前に、折り畳まれた前記右側センサ部を広げる、あるいは、複数に分割された前記右側センサ部を組み立てる工程と、
前記左側センサ部を設置する前に、折り畳まれた前記左側センサ部を広げる、あるいは、複数に分割された前記左側センサ部を組み立てる工程とを更に含む、
請求項６に記載の敷き込み式体重計の使用方法。
【請求項９】
被測定者の姿勢を仰向け状態から左向き状態に変更し、仰向け状態の被測定者の右半身が位置していた箇所に前記右側センサ部および前記左側センサ部の一方を設置する工程と、
被測定者の姿勢を左向き状態から右向き状態に変更し、前記右側センサ部および前記左側センサ部の一方の計測面上に被測定者を位置させ、前記右側センサ部および前記左側センサ部の一方の計測面によって被測定者の体重を測定する工程とを含む、
請求項１に記載の敷き込み式体重計の使用方法。
【請求項１０】
被測定者の姿勢を仰向け状態から右向き状態に変更し、仰向け状態の被測定者の左半身が位置していた箇所に前記右側センサ部および前記左側センサ部の一方を設置する工程と、
被測定者の姿勢を右向き状態から左向き状態に変更し、前記右側センサ部および前記左側センサ部の一方の計測面上に被測定者を位置させ、前記右側センサ部および前記左側センサ部の一方の計測面によって被測定者の体重を測定する工程とを含む、
請求項１に記載の敷き込み式体重計の使用方法。
【請求項１１】
前記右側センサ部および前記左側センサ部の一方を設置する前に、折り畳まれた前記右側センサ部および前記左側センサ部の一方を広げる、あるいは、複数に分割された前記右側センサ部および前記左側センサ部の一方を組み立てる工程を更に含む、
請求項９に記載の敷き込み式体重計の使用方法。
【発明の詳細な説明】
【技術分野】
【０００１】
本発明は、敷き込み式体重計および敷き込み式体重計の使用方法に関する。
本願は、２０１７年８月１日に、日本に出願された特願２０１７−１４９１４４号に基づき優先権を主張し、その内容をここに援用する。
【背景技術】
【０００２】
従来、可撓性を有するシート構造体であり、平面上に配列され、且つ自身にかかる荷重を測定する独立した複数のセンシング手段、該センシング手段の出力を基に荷重の総和を演算する演算手段を備えた体重計システムが知られている（例えば、特許文献１参照）。特許文献１に記載された体重計システムは、体重管理をとおして、生活習慣病の予防に役立つことを目的としている。
【先行技術文献】
【特許文献】
【０００３】
【特許文献１】特開２００９−８６１３号公報
【発明の概要】
【発明が解決しようとする課題】
【０００４】
ところで、特許文献１に記載された体重計システムでは、被測定者が自力で動けない場合について考慮されていない。そのため、特許文献１に記載された体重計システムでは、被測定者が自力で動けない場合に、被測定者の体重を測定できないおそれがある。【０００５】
本発明は、上記問題を解決すべくなされたもので、その目的は、被測定者が自力で動けない場合であっても、被測定者の体重を容易に測定することができる敷き込み式体重計および敷き込み式体重計の使用方法を提供することにある。
【課題を解決するための手段】
【０００６】
本発明の一実施形態は、計測面を有する右側センサ部と、計測面を有する左側センサ部と、前記右側センサ部の計測面にかかる荷重と、前記左側センサ部の計測面にかかる荷重とを合計し、被測定者の体重として算出する算出部とを備え、前記右側センサ部と、前記左側センサ部とは、互いに分割されている、敷き込み式体重計である。【０００７】
本発明の一実施形態の敷き込み式体重計では、前記右側センサ部および前記左側センサ部は、被測定者の身長方向の寸法が小さくなるように、折り畳み可能に構成されていてもよい。【０００８】
本発明の一実施形態の敷き込み式体重計では、前記右側センサ部および前記左側センサ部のそれぞれは、被測定者の身長方向の寸法が小さくなるように、複数に分割可能に構成されていてもよい。【０００９】
本発明の一実施形態の敷き込み式体重計では、前記右側センサ部および前記左側センサ部は、耐座屈性を有する材料によって形成されていてもよい。【００１０】
本発明の一実施形態の敷き込み式体重計では、前記右側センサ部および前記左側センサ部の表面は、耐アルコール性を有してもよい。【００１１】
本発明の一実施形態は、被測定者の姿勢を仰向け状態から左向き状態に変更し、仰向け状態の被測定者の右半身が位置していた箇所に前記右側センサ部を設置する工程と、被測定者の姿勢を左向き状態から右向き状態に変更し、仰向け状態の被測定者の左半身が位置していた箇所に前記左側センサ部を設置する工程と、被測定者の姿勢を右向き状態から仰向け状態に変更し、前記右側センサ部の計測面および前記左側センサ部の計測面によって被測定者の体重を測定する工程とを含む、上記のいずれかの敷き込み式体重計の使用方法である。【００１２】
本発明の一実施形態は、被測定者の姿勢を仰向け状態から右向き状態に変更し、仰向け状態の被測定者の左半身が位置していた箇所に前記左側センサ部を設置する工程と、被測定者の姿勢を右向き状態から左向き状態に変更し、仰向け状態の被測定者の右半身が位置していた箇所に前記右側センサ部を設置する工程と、被測定者の姿勢を左向き状態から仰向け状態に変更し、前記右側センサ部の計測面および前記左側センサ部の計測面によって被測定者の体重を測定する工程とを含む、上記のいずれかの敷き込み式体重計の使用方法である。【００１３】
本発明の一実施形態の敷き込み式体重計の使用方法は、前記右側センサ部を設置する前に、折り畳まれた前記右側センサ部を広げる、あるいは、複数に分割された前記右側センサ部を組み立てる工程と、前記左側センサ部を設置する前に、折り畳まれた前記左側センサ部を広げる、あるいは、複数に分割された前記左側センサ部を組み立てる工程とを更に含んでもよい。【００１４】
本発明の一実施形態は、被測定者の姿勢を仰向け状態から左向き状態に変更し、仰向け状態の被測定者の右半身が位置していた箇所に前記右側センサ部および前記左側センサ部の一方を設置する工程と、被測定者の姿勢を左向き状態から右向き状態に変更し、前記右側センサ部および前記左側センサ部の一方の計測面上に被測定者を位置させ、前記右側センサ部および前記左側センサ部の一方の計測面によって被測定者の体重を測定する工程とを含む、上記のいずれかの敷き込み式体重計の使用方法である。【００１５】
本発明の一実施形態は、被測定者の姿勢を仰向け状態から右向き状態に変更し、仰向け状態の被測定者の左半身が位置していた箇所に前記右側センサ部および前記左側センサ部の一方を設置する工程と、被測定者の姿勢を右向き状態から左向き状態に変更し、前記右側センサ部および前記左側センサ部の一方の計測面上に被測定者を位置させ、前記右側センサ部および前記左側センサ部の一方の計測面によって被測定者の体重を測定する工程とを含む、上記のいずれかの敷き込み式体重計の使用方法である。【００１６】
本発明の一実施形態の敷き込み式体重計の使用方法は、前記右側センサ部および前記左側センサ部の一方を設置する前に、折り畳まれた前記右側センサ部および前記左側センサ部の一方を広げる、あるいは、複数に分割された前記右側センサ部および前記左側センサ部の一方を組み立てる工程を更に含んでもよい。
【発明の効果】
【００１７】
この発明によれば、被測定者が自力で動けない場合であっても、被測定者の体重を容易に測定することができる敷き込み式体重計および敷き込み式体重計の使用方法を提供することができる。
【図面の簡単な説明】
【００１８】
【図１】第１実施形態の敷き込み式体重計の構成の一例を示す図である。
【図２Ａ】第１実施形態の敷き込み式体重計の右側センサ部の収納状態（あるいは搬送状態）を説明するための図である。
【図２Ｂ】第１実施形態の敷き込み式体重計の左側センサ部の収納状態（あるいは搬送状態）を説明するための図である。
【図３】第２実施形態の敷き込み式体重計の構成の一例を示す図である。
【図４Ａ】第２実施形態の敷き込み式体重計の右側センサ部の収納状態（あるいは搬送状態）を説明するための図である。
【図４Ｂ】第２実施形態の敷き込み式体重計の左側センサ部の収納状態（あるいは搬送状態）を説明するための図である。
【図５Ａ】第１または第２実施形態の敷き込み式体重計の第１適用例の第１工程を示す図である。
【図５Ｂ】第１または第２実施形態の敷き込み式体重計の第１適用例の第２工程を示す図である。
【図５Ｃ】第１または第２実施形態の敷き込み式体重計の第１適用例の第３工程を示す図である。
【図５Ｄ】第１または第２実施形態の敷き込み式体重計の第１適用例の第４工程を示す図である。
【図６Ａ】第１または第２実施形態の敷き込み式体重計の第２適用例の第１工程を示す図である。
【図６Ｂ】第１または第２実施形態の敷き込み式体重計の第２適用例の第２工程を示す図である。
【図６Ｃ】第１または第２実施形態の敷き込み式体重計の第２適用例の第３工程を示す図である。
【図６Ｄ】第１または第２実施形態の敷き込み式体重計の第２適用例の第４工程を示す図である。
【図７Ａ】第１または第２実施形態の敷き込み式体重計の第３適用例の第１工程を示す図である。
【図７Ｂ】第１または第２実施形態の敷き込み式体重計の第３適用例の第２工程を示す図である。
【図７Ｃ】第１または第２実施形態の敷き込み式体重計の第３適用例の第３工程を示す図である。
【図８Ａ】第１または第２実施形態の敷き込み式体重計の第４適用例の第１工程を示す図である。
【図８Ｂ】第１または第２実施形態の敷き込み式体重計の第４適用例の第２工程を示す図である。
【図８Ｃ】第１または第２実施形態の敷き込み式体重計の第４適用例の第３工程を示す図である。
【発明を実施するための形態】
【００１９】
以下、図面を参照し、本発明の敷き込み式体重計の実施形態について説明する。
【００２０】
［第１実施形態］
図１は、第１実施形態の敷き込み式体重計１の構成の一例を示す図である。
図１に示す例では、敷き込み式体重計１が、右側センサ部１１Ｒと、左側センサ部１１Ｌと、本体部１２とを備えている。右側センサ部１１Ｒは、例えば３つのブロック１１Ｒ１、１１Ｒ２、１１Ｒ３を有する。左側センサ部１１Ｌは、例えば３つのブロック１１Ｌ１、１１Ｌ２、１１Ｌ３を有する。
他の例では、右側センサ部１１Ｒおよび左側センサ部１１Ｌのそれぞれが、３以外の任意の数のブロックを有していてもよい。
【００２１】
図１に示す例では、右側センサ部１１Ｒのブロック１１Ｒ１が、計測面１１Ｒ１Ｓを有する。同様に、右側センサ部１１Ｒのブロック１１Ｒ２、１１Ｒ３は、それぞれ、計測面１１Ｒ２Ｓ、１１Ｒ３Ｓを有する。ブロック１１Ｒ１、１１Ｒ２、１１Ｒ３は、それぞれ、計測面１１Ｒ１Ｓ、１１Ｒ２Ｓ、１１Ｒ３Ｓにかかる荷重を測定する。右側センサ部１１Ｒの計測面１１ＲＳは、ブロック１１Ｒ１、１１Ｒ２、１１Ｒ３の計測面１１Ｒ１Ｓ、１１Ｒ２Ｓ、１１Ｒ３Ｓによって構成される。
同様に、左側センサ部１１Ｌのブロック１１Ｌ１、１１Ｌ２、１１Ｌ３は、それぞれ、計測面１１Ｌ１Ｓ、１１Ｌ２Ｓ、１１Ｌ３Ｓを有する。ブロック１１Ｌ１、１１Ｌ２、１１Ｌ３は、それぞれ、計測面１１Ｌ１Ｓ、１１Ｌ２Ｓ、１１Ｌ３Ｓにかかる荷重を測定する。左側センサ部１１Ｌの計測面１１ＬＳは、ブロック１１Ｌ１、１１Ｌ２、１１Ｌ３の計測面１１Ｌ１Ｓ、１１Ｌ２Ｓ、１１Ｌ３Ｓによって構成される。
【００２２】
図１に示す例では、右側センサ部１１Ｒのブロック１１Ｒ１とブロック１１Ｒ２とが、接続部１１ＲＪ１によって接続されている。ブロック１１Ｒ２とブロック１１Ｒ３とが、接続部１１ＲＪ２によって接続されている。
また、左側センサ部１１Ｌのブロック１１Ｌ１とブロック１１Ｌ２とが、接続部１１ＬＪ１によって接続されている。ブロック１１Ｌ２とブロック１１Ｌ３とが、接続部１１ＬＪ２によって接続されている。
【００２３】
図１に示す例では、右側センサ部１１Ｒのブロック１１Ｒ１と、本体部１２とが、配線部１３Ｒ１によって電気的に接続されている。ブロック１１Ｒ１と、ブロック１１Ｒ２とは、配線部１３Ｒ２によって電気的に接続されている。ブロック１１Ｒ２と、ブロック１１Ｒ３とは、配線部１３Ｒ３によって電気的に接続されている。
また、左側センサ部１１Ｌのブロック１１Ｌ１と、本体部１２とが、配線部１３Ｌ１によって電気的に接続されている。ブロック１１Ｌ１と、ブロック１１Ｌ２とは、配線部１３Ｌ２によって電気的に接続されている。ブロック１１Ｌ２と、ブロック１１Ｌ３とは、配線部１３Ｌ３によって電気的に接続されている。
【００２４】
図１に示す例では、本体部１２が、算出部１２ａと、表示部１２ｂとを備えている。
算出部１２ａは、右側センサ部１１Ｒのブロック１１Ｒ１の計測面１１Ｒ１Ｓにかかる荷重と、ブロック１１Ｒ２の計測面１１Ｒ２Ｓにかかる荷重と、ブロック１１Ｒ３の計測面１１Ｒ３Ｓにかかる荷重と、左側センサ部１１Ｌのブロック１１Ｌ１の計測面１１Ｌ１Ｓにかかる荷重と、ブロック１１Ｌ２の計測面１１Ｌ２Ｓにかかる荷重と、ブロック１１Ｌ３の計測面１１Ｌ３Ｓにかかる荷重とを合計し、被測定者の体重として算出する。
つまり、算出部１２ａは、右側センサ部１１Ｒの計測面１１ＲＳにかかる荷重と、左側センサ部１１Ｌの計測面１１ＬＳにかかる荷重とを合計し、被測定者の体重として算出する。表示部１２ｂは、算出部１２ａが算出した被測定者の体重を表示する。
【００２５】
図１に示す例では、右側センサ部１１Ｒと、左側センサ部１１Ｌとは、互いに分割されている。つまり、例えば、図１に示す状態の右側センサ部１１Ｒから配線部１３Ｒ１を取り外すか、あるいは、左側センサ部１１Ｌから配線部１３Ｌ１を取り外すことによって、右側センサ部１１Ｒと、左側センサ部１１Ｌとが、互いに分離する。
【００２６】
図２Ａは、第１実施形態の敷き込み式体重計１の右側センサ部１１Ｒの収納状態（あるいは搬送状態）を説明するための図である。図２Ｂは、第１実施形態の敷き込み式体重計１の左側センサ部１１Ｌの収納状態（あるいは搬送状態）を説明するための図である。
図２Ａに示す例では、右側センサ部１１Ｒが、折り畳まれることによって収納状態（あるいは搬送状態）にされる。詳細には、右側センサ部１１Ｒの接続部１１ＲＪ２を湾曲させることによって、ブロック１１Ｒ３が、ブロック１１Ｒ２の上に重ねられ、接続部１１ＲＪ１を湾曲させることによって、ブロック１１Ｒ１が、ブロック１１Ｒ２、１１Ｒ３の上に重ねられる。つまり、右側センサ部１１Ｒは、被測定者の身長方向（図２Ａの左右方向、図１の上下方向）の寸法が小さくなるように、折り畳み可能に構成されている。
図２Ｂに示す例では、左側センサ部１１Ｌが、折り畳まれることによって収納状態（あるいは搬送状態）にされる。詳細には、左側センサ部１１Ｌの接続部１１ＬＪ２を湾曲させることによって、ブロック１１Ｌ３が、ブロック１１Ｌ２の上に重ねられ、接続部１１ＬＪ１を湾曲させることによって、ブロック１１Ｌ１が、ブロック１１Ｌ２、１１Ｌ３の上に重ねられる。つまり、左側センサ部１１Ｌは、被測定者の身長方向（図２Ｂの左右方向、図１の上下方向）の寸法が小さくなるように、折り畳み可能に構成されている。
そのため、図２Ａおよび図２Ｂに示す例では、敷き込み式体重計１の非使用時の収納性および可搬性を向上させることができる。
【００２７】
図１、図２Ａおよび図２Ｂに示す例では、右側センサ部１１Ｒのブロック１１Ｒ１、１１Ｒ２、１１Ｒ３および左側センサ部１１Ｌのブロック１１Ｌ１、１１Ｌ２、１１Ｌ３は、例えばプラスチックなどのような耐座屈性を有する材料によって形成されている。そのため、右側センサ部１１Ｒのブロック１１Ｒ１、１１Ｒ２、１１Ｒ３および左側センサ部１１Ｌのブロック１１Ｌ１、１１Ｌ２、１１Ｌ３が耐座屈性を有さない材料によって形成されている場合よりも、右側センサ部１１Ｒおよび左側センサ部１１Ｌを被測定者の下側に挿入する作業性を向上させることができる。つまり、右側センサ部１１Ｒおよび左側センサ部１１Ｌの設置時に右側センサ部１１Ｒおよび左側センサ部１１Ｌが座屈してしまうおそれを抑制することができる。
【００２８】
図１、図２Ａおよび図２Ｂに示す例では、右側センサ部１１Ｒのブロック１１Ｒ１、１１Ｒ２、１１Ｒ３および左側センサ部１１Ｌのブロック１１Ｌ１、１１Ｌ２、１１Ｌ３の表面が、耐アルコール性を有する。そのため、例えば敷き込み式体重計１の使用者は、右側センサ部１１Ｒのブロック１１Ｒ１、１１Ｒ２、１１Ｒ３および左側センサ部１１Ｌのブロック１１Ｌ１、１１Ｌ２、１１Ｌ３の表面を消毒することができ、敷き込み式体重計１を清潔に使用することができる。
【００２９】
［第２実施形態］
第２実施形態の敷き込み式体重計１は、後述する点を除き、上述した第１実施形態の敷き込み式体重計１と同様に構成されている。従って、第２実施形態の敷き込み式体重計１によれば、後述する点を除き、上述した第１実施形態の敷き込み式体重計１と同様の効果を奏することができる。
【００３０】
図３は、第２実施形態の敷き込み式体重計１の構成の一例を示す図である。
上述したように、図１に示す例では、右側センサ部１１Ｒのブロック１１Ｒ１とブロック１１Ｒ２とが、接続部１１ＲＪ１によって接続されており、ブロック１１Ｒ２とブロック１１Ｒ３とが、接続部１１ＲＪ２によって接続されている。また、左側センサ部１１Ｌのブロック１１Ｌ１とブロック１１Ｌ２とが、接続部１１ＬＪ１によって接続されており、ブロック１１Ｌ２とブロック１１Ｌ３とが、接続部１１ＬＪ２によって接続されている。
一方、図３に示す例では、接続部１１ＲＪ１、１１ＲＪ２（図１参照）が設けられておらず、接続部１１ＬＪ１、１１ＬＪ２（図１参照）が設けられていない。
【００３１】
図３に示す例では、敷き込み式体重計１の使用時に、右側センサ部１１Ｒのブロック１１Ｒ１とブロック１１Ｒ２とが、配線部１３Ｒ２によって、電気的に接続されると共に、機械的にも接続される。また、ブロック１１Ｒ２とブロック１１Ｒ３とが、配線部１３Ｒ３によって、電気的に接続されると共に、機械的にも接続される。
図３に示す状態の右側センサ部１１Ｒのブロック１１Ｒ１またはブロック１１Ｒ２から配線部１３Ｒ２を取り外すことによって、ブロック１１Ｒ１と、ブロック１１Ｒ２とが、互いに分離する。また、図３に示す状態の右側センサ部１１Ｒのブロック１１Ｒ２またはブロック１１Ｒ３から配線部１３Ｒ３を取り外すことによって、ブロック１１Ｒ２と、ブロック１１Ｒ３とが、互いに分離する。
【００３２】
同様に、図３に示す例では、敷き込み式体重計１の使用時に、左側センサ部１１Ｌのブロック１１Ｌ１とブロック１１Ｌ２とが、配線部１３Ｌ２によって、電気的に接続されると共に、機械的にも接続される。また、ブロック１１Ｌ２とブロック１１Ｌ３とが、配線部１３Ｌ３によって、電気的に接続されると共に、機械的にも接続される。
図３に示す状態の左側センサ部１１Ｌのブロック１１Ｌ１またはブロック１１Ｌ２から配線部１３Ｌ２を取り外すことによって、ブロック１１Ｌ１と、ブロック１１Ｌ２とが、互いに分離する。また、図３に示す状態の左側センサ部１１Ｌのブロック１１Ｌ２またはブロック１１Ｌ３から配線部１３Ｌ３を取り外すことによって、ブロック１１Ｌ２と、ブロック１１Ｌ３とが、互いに分離する。
【００３３】
図４Ａは、第２実施形態の敷き込み式体重計１の右側センサ部１１Ｒの収納状態（あるいは搬送状態）を説明するための図である。図４Ｂは、第２実施形態の敷き込み式体重計１の左側センサ部１１Ｌの収納状態（あるいは搬送状態）を説明するための図である。
図４Ａに示す例では、右側センサ部１１Ｒが、複数に分割されることによって収納状態（あるいは搬送状態）にされる。詳細には、右側センサ部１１Ｒのブロック１１Ｒ２とブロック１１Ｒ３とを分離させることによって、ブロック１１Ｒ２が、ブロック１１Ｒ３の上に重ねられ、ブロック１１Ｒ１とブロック１１Ｒ２とを分離させることによって、ブロック１１Ｒ１が、ブロック１１Ｒ２、１１Ｒ３の上に重ねられる。つまり、右側センサ部１１Ｒは、被測定者の身長方向（図４Ａの上下方向、図３の上下方向）の寸法が小さくなるように、複数に分割可能に構成されている。
図４Ｂに示す例では、左側センサ部１１Ｌが、複数に分割されることによって収納状態（あるいは搬送状態）にされる。詳細には、左側センサ部１１Ｌのブロック１１Ｌ２とブロック１１Ｌ３とを分離させることによって、ブロック１１Ｌ２が、ブロック１１Ｌ３の上に重ねられ、ブロック１１Ｌ１とブロック１１Ｌ２とを分離させることによって、ブロック１１Ｌ１が、ブロック１１Ｌ２、１１Ｌ３の上に重ねられる。つまり、左側センサ部１１Ｌは、被測定者の身長方向（図４Ｂの上下方向、図３の上下方向）の寸法が小さくなるように、複数に分割可能に構成されている。
そのため、図４Ａおよび図４Ｂに示す例では、敷き込み式体重計１の非使用時の収納性および可搬性を向上させることができる。
【００３４】
［第１適用例］
図５Ａ〜図５Ｄは、第１または第２実施形態の敷き込み式体重計１の第１適用例（使用方法の第１例）を説明するための図である。図５Ａは、第１または第２実施形態の敷き込み式体重計１の第１適用例の第１工程を示す図である。図５Ｂは、第１または第２実施形態の敷き込み式体重計１の第１適用例の第２工程を示す図である。図５Ｃは、第１または第２実施形態の敷き込み式体重計１の第１適用例の第３工程を示す図である。図５Ｄは、第１または第２実施形態の敷き込み式体重計１の第１適用例の第４工程を示す図である。
図５Ａ〜図５Ｄに示す例では、図５Ａおよび図５Ｂに示す工程において、例えば敷き込み式体重計１の使用者によって、被測定者Ｐの姿勢が、仰向け状態（図５Ａ参照）から左向き状態（図５Ｂ参照）に変更される。また、例えば敷き込み式体重計１の使用者によって、仰向け状態の被測定者Ｐの右半身が位置していた箇所に、右側センサ部１１Ｒが設置される。
次いで、図５Ｂおよび図５Ｃに示す工程では、例えば敷き込み式体重計１の使用者によって、被測定者Ｐの姿勢が、左向き状態から右向き状態（図５Ｃ参照）に変更される。また、例えば敷き込み式体重計１の使用者によって、仰向け状態の被測定者Ｐの左半身が位置していた箇所に、左側センサ部１１Ｌが設置される。
次いで、図５Ｃおよび図５Ｄに示す工程では、例えば敷き込み式体重計１の使用者によって、被測定者Ｐの姿勢が、右向き状態から仰向け状態（図５Ｄ参照）に変更される。また、右側センサ部１１Ｒの計測面１１ＲＳおよび左側センサ部１１Ｌの計測面１１ＬＳによって被測定者Ｐの体重が測定される。
【００３５】
第１実施形態の敷き込み式体重計１が図５Ａ〜図５Ｄに示す例に適用される場合には、図５Ｂに示す工程において右側センサ部１１Ｒが設置される前に、折り畳まれた（つまり、図２Ａに示す状態の）右側センサ部１１Ｒが、例えば敷き込み式体重計１の使用者によって広げられる。また、図５Ｃに示す工程において左側センサ部１１Ｌが設置される前に、折り畳まれた（つまり、図２Ｂに示す状態の）左側センサ部１１Ｌが、例えば敷き込み式体重計１の使用者によって広げられる。
【００３６】
第２実施形態の敷き込み式体重計１が図５Ａ〜図５Ｄに示す例に適用される場合には、図５Ｂに示す工程において右側センサ部１１Ｒが設置される前に、複数に分割された（つまり、図４Ａに示す状態の）右側センサ部１１Ｒが、例えば敷き込み式体重計１の使用者によって組み立てられる。また、図５Ｃに示す工程において左側センサ部１１Ｌが設置される前に、複数に分割された（つまり、図４Ｂに示す状態の）左側センサ部１１Ｌが、例えば敷き込み式体重計１の使用者によって組み立てられる。
【００３７】
［第２適用例］
図６Ａ〜図６Ｄは、第１または第２実施形態の敷き込み式体重計１の第２適用例（使用方法の第２例）を説明するための図である。図６Ａは、第１または第２実施形態の敷き込み式体重計１の第２適用例の第１工程を示す図である。図６Ｂは、第１または第２実施形態の敷き込み式体重計１の第２適用例の第２工程を示す図である。図６Ｃは、第１または第２実施形態の敷き込み式体重計１の第２適用例の第３工程を示す図である。図６Ｄは、第１または第２実施形態の敷き込み式体重計１の第２適用例の第４工程を示す図である。
図６Ａ〜図６Ｄに示す例では、図６Ａおよび図６Ｂに示す工程において、例えば敷き込み式体重計１の使用者によって、被測定者Ｐの姿勢が、仰向け状態（図６Ａ参照）から右向き状態（図６Ｂ参照）に変更される。また、例えば敷き込み式体重計１の使用者によって、仰向け状態の被測定者Ｐの左半身が位置していた箇所に、左側センサ部１１Ｌが設置される。
次いで、図６Ｂおよび図６Ｃに示す工程では、例えば敷き込み式体重計１の使用者によって、被測定者Ｐの姿勢が、右向き状態から左向き状態（図６Ｃ参照）に変更される。また、例えば敷き込み式体重計１の使用者によって、仰向け状態の被測定者Ｐの右半身が位置していた箇所に、右側センサ部１１Ｒが設置される。
次いで、図６Ｃおよび図６Ｄに示す工程では、例えば敷き込み式体重計１の使用者によって、被測定者Ｐの姿勢が、左向き状態から仰向け状態（図６Ｄ参照）に変更される。また、右側センサ部１１Ｒの計測面１１ＲＳおよび左側センサ部１１Ｌの計測面１１ＬＳによって被測定者Ｐの体重が測定される。
【００３８】
第１実施形態の敷き込み式体重計１が図６Ａ〜図６Ｄに示す例に適用される場合には、図６Ｂに示す工程において左側センサ部１１Ｌが設置される前に、折り畳まれた（つまり、図２Ｂに示す状態の）左側センサ部１１Ｌが、例えば敷き込み式体重計１の使用者によって広げられる。また、図６Ｃに示す工程において右側センサ部１１Ｒが設置される前に、折り畳まれた（つまり、図２Ａに示す状態の）右側センサ部１１Ｒが、例えば敷き込み式体重計１の使用者によって広げられる。
【００３９】
第２実施形態の敷き込み式体重計１が図６Ａ〜図６Ｄに示す例に適用される場合には、図６Ｂに示す工程において左側センサ部１１Ｌが設置される前に、複数に分割された（つまり、図４Ｂに示す状態の）左側センサ部１１Ｌが、例えば敷き込み式体重計１の使用者によって組み立てられる。また、図６Ｃに示す工程において右側センサ部１１Ｒが設置される前に、複数に分割された（つまり、図４Ａに示す状態の）右側センサ部１１Ｒが、例えば敷き込み式体重計１の使用者によって組み立てられる。
【００４０】
［第３適用例］
図７Ａ〜図７Ｃは、第１または第２実施形態の敷き込み式体重計１の第３適用例（使用方法の第３例）を説明するための図である。図７Ａは、第１または第２実施形態の敷き込み式体重計１の第３適用例の第１工程を示す図である。図７Ｂは、第１または第２実施形態の敷き込み式体重計１の第３適用例の第２工程を示す図である。図７Ｃは、第１または第２実施形態の敷き込み式体重計１の第３適用例の第３工程を示す図である。
図７Ａ〜図７Ｃに示す例では、図７Ａおよび図７Ｂに示す工程において、例えば敷き込み式体重計１の使用者によって、被測定者Ｐの姿勢が、仰向け状態（図７Ａ参照）から左向き状態（図７Ｂ参照）に変更される。また、例えば敷き込み式体重計１の使用者によって、仰向け状態の被測定者Ｐの右半身が位置していた箇所に、右側センサ部１１Ｒが設置される。
次いで、図７Ｂおよび図７Ｃに示す工程では、例えば敷き込み式体重計１の使用者によって、被測定者Ｐの姿勢が、左向き状態から右向き状態（図７Ｃ参照）に変更される。例えば敷き込み式体重計１の使用者は、右側センサ部１１Ｒの計測面１１ＲＳ上に被測定者Ｐを位置させる。また、右側センサ部１１Ｒの計測面１１ＲＳによって被測定者Ｐの体重が測定される。
他の例では、図７Ｂに示す工程において、右側センサ部１１Ｒの代わりに、左側センサ部１１Ｌを設置してもよい。
【００４１】
第１実施形態の敷き込み式体重計１が図７Ａ〜図７Ｃに示す例に適用される場合には、図７Ｂに示す工程において右側センサ部１１Ｒが設置される前に、折り畳まれた（つまり、図２Ａに示す状態の）右側センサ部１１Ｒが、例えば敷き込み式体重計１の使用者によって広げられる。
【００４２】
第２実施形態の敷き込み式体重計１が図７Ａ〜図７Ｃに示す例に適用される場合には、図７Ｂに示す工程において右側センサ部１１Ｒが設置される前に、複数に分割された（つまり、図４Ａに示す状態の）右側センサ部１１Ｒが、例えば敷き込み式体重計１の使用者によって組み立てられる。
【００４３】
［第４適用例］
図８Ａ〜図８Ｃは、第１または第２実施形態の敷き込み式体重計１の第４適用例（使用方法の第４例）を説明するための図である。図８Ａは、第１または第２実施形態の敷き込み式体重計１の第４適用例の第１工程を示す図である。図８Ｂは、第１または第２実施形態の敷き込み式体重計１の第４適用例の第２工程を示す図である。図８Ｃは、第１または第２実施形態の敷き込み式体重計１の第４適用例の第３工程を示す図である。
図８Ａ〜図８Ｃに示す例では、図８Ａおよび図８Ｂに示す工程において、例えば敷き込み式体重計１の使用者によって、被測定者Ｐの姿勢が、仰向け状態（図８Ａ参照）から右向き状態（図８Ｂ参照）に変更される。また、例えば敷き込み式体重計１の使用者によって、仰向け状態の被測定者Ｐの左半身が位置していた箇所に、左側センサ部１１Ｌが設置される。
次いで、図８Ｂおよび図８Ｃに示す工程では、例えば敷き込み式体重計１の使用者によって、被測定者Ｐの姿勢が、右向き状態から左向き状態（図８Ｃ参照）に変更される。例えば敷き込み式体重計１の使用者は、左側センサ部１１Ｌの計測面１１ＬＳ上に被測定者Ｐを位置させる。また、左側センサ部１１Ｌの計測面１１ＬＳによって被測定者Ｐの体重が測定される。
他の例では、図８Ｂに示す工程において、左側センサ部１１Ｌの代わりに、右側センサ部１１Ｒを設置してもよい。
【００４４】
第１実施形態の敷き込み式体重計１が図８Ａ〜図８Ｃに示す例に適用される場合には、図８Ｂに示す工程において左側センサ部１１Ｌが設置される前に、折り畳まれた（つまり、図２Ｂに示す状態の）左側センサ部１１Ｌが、例えば敷き込み式体重計１の使用者によって広げられる。
【００４５】
第２実施形態の敷き込み式体重計１が図８Ａ〜図８Ｃに示す例に適用される場合には、図８Ｂに示す工程において左側センサ部１１Ｌが設置される前に、複数に分割された（つまり、図４Ｂに示す状態の）左側センサ部１１Ｌが、例えば敷き込み式体重計１の使用者によって組み立てられる。
【００４６】
上述したように、第１または第２実施形態の敷き込み式体重計１では、互いに分割されている右側センサ部１１Ｒと左側センサ部１１Ｌとが備えられているため、例えば図５Ｂに示すように、ベッドの上の被測定者Ｐの姿勢を左向き状態にすることによって、右側センサ部１１Ｒを被測定者の右半身の下側に挿入することができ、例えば図５Ｃに示すように、被測定者Ｐの姿勢を右向き状態にすることによって、左側センサ部１１Ｌを被測定者Ｐの左半身の下側に挿入することができる。つまり、被測定者Ｐを持ち上げる必要なく、被測定者Ｐの下側に右側センサ部１１Ｒおよび左側センサ部１１Ｌを挿入することができる。すなわち、体重計の右側センサ部と左側センサ部とが互いに分割されていない場合よりも、体重計のセンサ部の設置性を向上させることができる。
このように、第１または第２実施形態の敷き込み式体重計１によれば、例えば寝たきりの人のように、被測定者Ｐが自力で動けない場合であっても、被測定者Ｐの体重を容易に測定することができる。
【００４７】
上述したように、第１または第２実施形態の敷き込み式体重計１が使用される場合には、被測定者Ｐを横転させ、被測定者Ｐの身体の下に敷き込み式体重計１が敷き込まれる。つまり、被測定者Ｐを例えばベッドの上から移動させる必要がないため、安全性を確保することができる。
また、第１または第２実施形態の敷き込み式体重計１では、例えば四肢麻痺、意識無し、太った人、褥瘡がある人のように、被測定者Ｐが自力で動けない場合であっても、敷き込み式体重計１の使用者が、例えば１人で、被測定者Ｐの体重を容易に測定することができる。また、敷き込み式体重計１の使用者は、第１または第２実施形態の敷き込み式体重計１を容易に搬送することができる。また、敷き込み式体重計１の使用者は、第１または第２実施形態の敷き込み式体重計１を例えば自転車に載せることもできる。
第１または第２実施形態の敷き込み式体重計１は、右側センサ部１１Ｒが親機であり、左側センサ部１１Ｌが子機であるという関係を有していてもよい。
【００４８】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００４９】
１…敷き込み式体重計、１１Ｒ…右側センサ部、１１ＲＳ…計測面、１１Ｒ１、１１Ｒ２、１１Ｒ３…ブロック、１１Ｒ１Ｓ、１１Ｒ２Ｓ、１１Ｒ３Ｓ…計測面、１１ＲＪ１、１１ＲＪ２…接続部、１１Ｌ…左側センサ部、１１ＬＳ…計測面、１１Ｌ１、１１Ｌ２、１１Ｌ３…ブロック、１１Ｌ１Ｓ、１１Ｌ２Ｓ、１１Ｌ３Ｓ…計測面、１１ＬＪ１、１１ＬＪ２…接続部、１２…本体部、１２ａ…算出部、１２ｂ…表示部、１３Ｒ１、１３Ｒ２、１３Ｒ３…配線部、１３Ｌ１、１３Ｌ２、１３Ｌ３…配線部
【図１】
2019026750.tif 000003
【図２Ａ】
2019026750.tif 000004
【図２Ｂ】
2019026750.tif 000005
【図３】
2019026750.tif 000006
【図４Ａ】
2019026750.tif 000007
【図４Ｂ】
2019026750.tif 000008
【図５Ａ】
2019026750.tif 000009
【図５Ｂ】
2019026750.tif 000010
【図５Ｃ】
2019026750.tif 000011
【図５Ｄ】
2019026750.tif 000012
【図６Ａ】
2019026750.tif 000013
【図６Ｂ】
2019026750.tif 000014
【図６Ｃ】
2019026750.tif 000015
【図６Ｄ】
2019026750.tif 000016
【図７Ａ】
2019026750.tif 000017
【図７Ｂ】
2019026750.tif 000018
【図７Ｃ】
2019026750.tif 000019
【図８Ａ】
2019026750.tif 000020
【図８Ｂ】
2019026750.tif 000021
【図８Ｃ】
2019026750.tif 000022
【国際調査報告】
2019026750.tif 000023
2019026750.tif 000024
2019026750.tif 000025
2019026750.tif 000026